(57)【要約】【課題】文字記憶容量の削減および回路規模の削減を図るとともに、低消費電力である文字表示装置を提供する。【解決手段】表示文字からＲＯＭへの変換において、文字と表示効果として縁の演算を行い、復号分離可能な符号化手段によりデータの小容量化を実現する。さらに文字形状の対称性を抽出し、その対象の内容ごとに文字配列の再配置を行い、ＲＯＭに格納することで、対称文字の記憶容量を削減する。表示時においては１ライン中のデータを分割することで、前記文字縁分離復号回路を小さくすることにより、低消費電力かつ小回路規模の文字表示装置を提供する。【選択図】      図１
2004317887.tif 000002
【特許請求の範囲】
【請求項１】
復号されると、文字部と、該文字部に視覚的表示効果を与える表示効果部とを有する表示効果付き文字に変換されるコードを記憶するコード記憶手段と、
前記コード記憶手段から読み出したコードを、前記表示効果付き文字に復号する復号手段と、
前記復号手段により復号された前記表示効果付き文字を、前記文字部と、前記表示効果部とに分離する分離手段と、
視覚的表示効果を有する文字を表示する時には、前記分離手段からの前記文字部と、前記表示効果部とを出力し、視覚的表示効果を有しない文字を表示する時には、前記分離手段からの前記文字部のみを出力する出力制御手段と、
を備えたことを特徴とする表示装置。
【請求項２】
請求項１記載の表示装置において、
文字１ラインの表示を、前記コード記憶手段に対する１回のアクセスで行う、
ことを特徴とする表示装置。
【請求項３】
請求項２記載の表示装置において、
文字１ラインのドットを分割した数と同数の、前記復号手段および前記分離手段を備え、
該複数の復号手段および分離手段を用いて、前記文字１ラインの表示を行う、
ことを特徴とする表示装置。
【請求項４】
請求項２記載の表示装置において、
文字１ラインのドット数を複数個に分割し、その分割された各文字部分ライン間を切り替える切り替え手段を備え、
１つの前記復号手段のみにより、前記コード記憶手段からコード読み出し、前記表示効果付き文字に復号する、
ことを特徴とする表示装置。
【請求項５】
請求項１記載の表示装置において、
文字１ラインのドットを分割した数と同数の、前記コード記憶手段を備え、
該複数のコード記憶手段をアクセスする、
ことを特徴とする表示装置。
【請求項６】
請求項５記載の表示装置において、
文字１ラインのドットを分割した数と同数の前記コード記憶手段上に、アドレスを設け、
１つの前記復号手段のみにより、前記コード記憶手段からコード読み出し、前記表示効果付き文字に復号する、
ことを特徴とする表示装置。
【請求項７】
請求項１記載の表示装置において、
前記表示効果部は、文字部を表示する文字部表示領域の左右両側の文字表示領域１ドットに対して表示を行う、
ことを特徴とする表示装置。
【請求項８】
文字部を文字部表示領域に表示し、該文字部に視覚的表示効果を与える表示効果部を前記文字部表示領域の左右両側の文字表示領域１ドットに表示する表示装置であって、
復号されると、文字部と、前記表示効果部とを有する表示効果付き文字に変換されるコードの１ラインのドットを分割して格納する複数のコード記憶手段と、前記複数のコード記憶手段から読み出したコードを、前記表示効果付き文字に復号する復号手段と、
前記復号手段により復号された前記表示効果付き文字を、前記文字部と、前記表示効果部とに分離する分離手段と、
視覚的表示効果を有する文字を表示する時には、前記分離手段からの前記文字部と、前記表示効果部とを出力し、視覚的表示効果を有しない文字を表示する時には、前記分離手段からの前記文字部のみを出力する出力制御手段と、
を備えた、ことを特徴とする表示装置。
【請求項９】
請求項８記載の表示装置において、
文字１ラインのドット数を分割した数が、２であり、
前記コード記憶手段のデータが、該２分割による第１部と、第２部とが、反転している、
ことを特徴とする表示装置。
【請求項１０】
請求項１ないし９のいずれかに記載の表示装置において、
前記表示効果部は、前記文字部に対する縁部である、
ことを特徴とする表示装置。
【請求項１１】
請求項１０記載の表示装置において、
前記文字部に対する縁部が、８方向に設けられている、
ことを特徴とする表示装置。
【請求項１２】
請求項１ないし９のいずれかに記載の表示装置において、前記コード記憶手段の内容の特殊性に基づき、記憶するデータの圧縮を行うとともに、
その特殊性に基づき、前記コード記憶手段内の文字データを分類し、
連続に再配置された前記データ記憶手段のデータにより、復元表示する、
ことを特徴とする表示装置。
【請求項１３】
複数の文字ドットパターン、および複数の文字コードを入力して、文字の形状の特殊性に基づき再配置を行い、
新たな複数の文字コード、および複数の文字ドットパターンの双方を、出力する、
ことを特徴とするフォント生成装置。
【請求項１４】
文字ドットパターンを入力して、その文字に視覚的表示効果を与える表示特殊効果を生成し、
該表示特殊効果と、前記文字ドットパターンとを、組み合わせて符号化する、
ことを特徴とするフォント生成装置。
【発明の詳細な説明】
【０００１】
【発明の属する技術分野】
本発明は、表示装置、およびフォント生成装置に関し、特に、テレビ、ＶＴＲ、ビデオカメラなどの映像信号を扱う装置内にあって、ＣＲＴ画面上に、縁を有する文字あるいは図形を表示させる表示装置、およびフォント生成装置に関する。
【０００２】
【従来の技術】
従来の第一の例として、図２５は、映像信号を背景に文字、図形を表示させるとともに、表示効果として文字縁を表示するための構成例を示す。２１０１はラインカウンタ、２１０３は垂直文字カウンタ、２１０２はドットクロックをカウントするドットカウンタ、２１０４は水平文字カウンタ、２１０５はＶＲＡＭのアドレスを生成する生成器、２１０７はＲＯＭアドレス作成器、２１０８ａは文字ドットパターンＲＯＭ、２１０８ｂは縁ドットパターンＲＯＭ、Ｓ２１０８ａは文字ドットパターンＲＯＭのデータ、Ｓ２１０８ｂは縁ドットパターンＲＯＭのデータ、２１０９ａ、２１０９ｂはシフトレジスタ、Ｓ２１０９ａは文字輝度制御出力、Ｓ２１０９ｂは縁制御出力、２１１０は映像信号制御部、Ｓ２１１０ｉｎはビデオ信号入力、Ｓ２１１０はビデオ信号出力である。
【０００３】
図２６は、Ａの文字と、前記文字の縁をともなった表示出力例と、図２５における文字部２１０８ａ、及び縁部２１０８ｂのドットパターンＲＯＭの構成を示したものである。図２５の表示出力において、以降、文字部は本来白色に表示される部分であるが、説明の都合上、黒にて表示し、同様に、縁部は本来黒色に表示される部分であるが、灰色にて表示する。表示は縦１８ライン、横１２ドットで構成されたものである。文字ドットパターンＲＯＭは、表示出力の文字表示部分は１、それ以外は０、のデータが格納されている。同様に縁ドットパターンＲＯＭは、縁表示部分は１、それ以外は０、のデータが格納されている。アドレスは、ラインごとに設定されており、データは、前記０，１の横方向１２ビットのデータについて、左側を最上位（ＭＳＢ）とし、１６進数表示したものである。前記の、文字ドットパターンＲＯＭは、図２５の２１０８ａであり、縁ドットパターンＲＯＭは、図２５の２１０８ｂである。
【０００４】
このように構成されている装置において、図２５ないし図２７を用いて、図２６における、Ａ文字表示の５ライン目１２ドットの表示動作を例に説明する。
ドットカウンタ２１０２は、横方向の最小単位であるドットをカウントするものであり、カウントが０から１１までの１２ドットで、１文字の１ラインを構成している。その桁上げ信号をカウントする水平文字カウンタ２１０４は、文字の境界ごとに増加（インクリメント）するカウンタである。２１０１は、画面の縦方向の最小単位である走査線をカウントするラインカウンタであり、０〜１７の１８ラインで１文字を構成している。前記例では、５ライン目の表示例であるので、ラインカウンタ２１０１は、０から５番目の状態である４となる。
【０００５】
次に、２１０３は、前記ラインカウンタ２１０１の桁上げ信号をカウントする垂直文字カウンタ、２１０６は、文字コードを格納しているＶＲＡＭである。いずれも０の時点のものとするが、ＶＲＡＭについて、表示部分以外は不定値（ｘｘ）とする。
【０００６】
フォントＲＯＭアドレス生成器２１０７は、ＶＲＡＭ２１０６のコード値を１８倍したものと、ラインカウンタ２１０１のラインカウンタ値とを加算して、その加算値を出力するものである。今回例では、表示していない部分は、ラインカウンタ２１０１の値４と、ＶＲＡＭ２１０６のコード値０を１８倍したものとを加算し、該加算値を４桁の１６進数で示すと、０００４となる。
【０００７】
前記アドレス生成器２１０７で作成されたアドレス０００４ｈ（数字の末尾に付した「ｈ」は、その数字が１６進表記であることを示す）に対するデータは、図２６の下部の、文字ドットパターン、および縁ドットパターンの図より、それぞれ３９Ｃｈ，Ｃ６３ｈとなり、Ｓ２１０８ａ、Ｓ２１０８ｂの値となる。表示例部分以外については、アドレスが不定となることから、不定値ｘｘｘｈとした。
【０００８】
次のシフトレジスタ２１０９ａ、２１０９ｂは、前記の３９Ｃｈ、Ｃ６３ｈの１２ビットデータの最上位を出力し、ドットクロックとともに、最下位ビットに０を入れながら、最上位へシフトする動作をする。シフトレジスタ２１０９ａの初期値は３９Ｃｈであるので、前記シフトレジスタ２１０９ａでは、００１１１００１１１００と出力され、これが文字輝度制御出力Ｓ２１０９ａとなる。縁部のＳ２１０９ｂでは、シフトレジスタ初期値はＣ６３ｈであるので、同様の動作をすることで、縁輝度制御出力Ｓ２１０９ｂは、１１０００１１０００１１となる。
【０００９】
最後に、映像信号制御部２１１０では、Ｓ２１１０ｉｎにビデオ信号を入力し、Ｓ２１０９ａが１のときには白表示するため、一定の高い電圧値を出力し、Ｓ２１０９ｂが１、かつＳ２１０９ａが０のときには黒表示するため、一定の低い電圧値を出力する。
ビデオ信号出力Ｓ２１１０では、文字の表示部分の両側に２ドットの縁があり、図２６における表示出力の第５ラインの状態となっており、文字、縁を表示することができる。
【００１０】
従来の第二の例としては、特開２００１−５１６６９号公報に開示されている文字表示装置がある。図２８は、前記従来例と同様に、映像信号を背景に文字、図形を表示させるとともに、表示効果として文字縁を表示するための構成例を示す。２４０１はラインカウンタ、２４０３は垂直文字カウンタ、２４０２はドットクロックをカウントするドットカウンタ、２４０４は水平文字カウンタ、２４０５はＶＲＡＭのアドレスを生成するアドレス生成器、２４０７はＲＯＭアドレス作成器、２４０８は文字ドットパターンＲＯＭ、２４０９ａ〜２４０９ｃ、はシフトレジスタ、Ｓ２４２１ａは文字輝度制御出力、Ｓ２４１３は縁制御出力、２４１０は映像信号制御部、Ｓ２４１０ｉｎはビデオ信号入力、Ｓ２４１０はビデオ信号出力、さらに２４１１はタイミング制御回路、２４１２ａ〜２４１２ｃはバッファ、２４１３は縁演算器、２４２１はドット遅延器である。
【００１１】
前記従来の第一の例と異なる点は、前記従来例では、文字部と縁部の２種類のＲＯＭから表示を作成していたが、従来の第二の例は、文字部データのみで縁付き文字の表示を実現するものであり、表示ライン以外に上下の２ラインのデータをも読み出し、そのデータから表示装置にて演算を行い、縁部を作成するものである。図２９に、図２６と同様のＡの文字と、前記文字の縁をともなった表示出力例を得るための文字部のドットパターンＲＯＭを示す。
【００１２】
このように構成されている装置において、図２８ないし図３０を用いて、図２６におけるＡ文字表示の５ライン目１２ドットの表示動作を例に説明する。
ドットカウンタ２４０２は、横方向の最小単位であるドットをカウントするものであり、カウントが０から１１までの１２ドットで１文字の１ラインを構成している。その桁上げ信号をカウントする水平文字カウンタ２４０４は、文字の境界ごとに増加（インクリメント）するカウンタである。２４０１は、画面の縦方向の最小単位である走査線をカウントするラインカウンタであり、０〜１７の１８ラインで１文字を構成している。前記例では、５ライン目の表示例であるので、ラインカウンタ２４０１は、０から５番目の状態である４となる。
【００１３】
次に、２４０３は、前記ラインカウンタ２４０１の桁上げ信号をカウントする垂直文字カウンタ、２４０６は、文字コードを格納しているＶＲＡＭである。いずれも０の時点のものとするが、ＶＲＡＭについて、表示部分以外は不定値（ｘｘ）とする。
【００１４】
フォントＲＯＭアドレス生成器２４０７は、ＶＲＡＭ２４０６のコード値を１８倍したものと、ラインカウンタ２４０１のラインカウンタ値とを加算し、さらにタイミング制御回路２４１１からの信号を受け、ドットカウント２４０２が０〜３の場合には１減算、４〜７の場合は変化せず、前記計算の値を出力し、８〜１１では１加算する、ものである。今回では、表示していない部分は、ラインカウンタ２４０１の値４と、ＶＲＡＭ２４０６のコード値０を１８倍した値とを加算し、さらに−１、０、＋１とするものであり、それを４桁の１６進数で示し、０００３ｈ、０００４ｈ、０００５ｈとなる。
【００１５】
図３０に、前記フォントＲＯＭアドレス生成器２４０７によるアドレス計算出力結果Ｓ２４０７を示す。このそれぞれの値に対するデータは、図２９の文字ドットパターンＲＯＭより、それぞれアドレス０００３ｈには１Ｆ８ｈ、アドレス０００４ｈには３９Ｃｈ，アドレス０００５にはＣ６３ｈとなる。前記３データは、全て揃ったタイミングで取り込む必要がある。このためにバッファ２４１２ａ〜２４１２ｃを設けて、値を待避することで、そのタイミングを作り出す。
【００１６】
図２９における、第４ラインのデータ１Ｆ８ｈは、ドットカウントが２のときにバッファ２４１２ａへ、表示ラインである第５ラインのデータは、ドットカウントが６のときにバッファ２４１２ｂへ、第６ラインのデータは、ドットカウントが１０のときにバッファ２４１２ｃへ格納される。
【００１７】
前記３データが全て揃うタイミングは、最後のデータがバッファに格納されてから始まり、次の文字の最初に待避されるまでの間であり、ドットカウント値で１０、１１、０、１の区間である。この例では、次の文字切換点で、シフトレジスタ２４０９ａ〜２４０９ｃへ格納している。シフトレジスタ２４０９ａ〜２４０９ｃの動作は、前述と同様で、最上位のビットデータが出力され、最下位ビットに０が格納されるものであり、シフトレジスタ２４０９ａでは，初期値１Ｆ８ｈを、０００１１１１１１０００と順番に出力し、次の２４０９ｂでは、００１１１００１１１００と、次の２４０９ｃでは、０１１１００００１１１０となる。
【００１８】
縁演算部２４１３では、縁は上下ラインの文字がある部分と、その両隣のドットから表示ラインの文字部分をなくした部分に、表示ラインにおける、文字表示のある両隣のドットの和となる。下記にその演算を示す。
【００１９】
−１ライン                      ０００１１１１１１０００    …１
−１ラインの文字部、その両隣    ００１１１１１１１１００    …２
＋１ライン                      ０１１１００００１１１０    …３
＋１ラインの文字部、その両隣    １１１１１００１１１１１    …４
２＋４                          １１１１１１１１１１１１    …５
表示ライン                      ００１１１００１１１００    …６
５−６                          １１０００１１０００１１
【００２０】
この演算には、ラインの表示している部分に対して左右のデータが関与するため、１ドット遅らせ、データ処理をすることとなる。ドット遅延器２４２１は、その１ドットの遅れに合わせたものである。
【００２１】
このようにして映像信号制御部２４１０には、Ｓ２４１３の縁の制御信号としては、１１０００１１０００１１が、文字には、００１１１００１１１００が出力され、映像信号制御部２４０１でビデオ信号に付加され、前述の従来例と同様な表示を得ることができる。
【００２２】
従来の第三の例としては、特開平６−１３８８６６号公報に開示されているものがあり、表示文字が左右対称、上下対称などの場合に、文字ドットパターンＲＯＭを、より小さい記憶容量のものとして、文字表示をさせるためのものである。前記公報は、前記の文字ドットパターンＲＯＭの生成について述べたものであり、図３１に示す表示装置の構成についての記載はなく、図３１は、本願において作成したものである。
【００２３】
図３２は、文字コードを格納、指定するＶＲＡＭの構成を示したものである。上位２ビットは、文字特徴性の有無、および左右、上下、点のそれぞれの対称性の有無に関する４状態を表し、後半の５〜０ビットの６ビットで、文字コードを格納、指定するものである。
【００２４】
このように構成されている装置において、図３１、図３２を用いて、表示装置の動作を説明する。２７０１はラインカウンタ、２７０３は垂直文字カウンタ、２７０２はドットクロックをカウントするドットカウンタ、２７０４は水平文字カウンタ、２７０５はＶＲＡＭのアドレスを生成する生成器、２７０７はＲＯＭアドレス生成成器、２７０８は文字ドットパターンＲＯＭ、２７０９はシフトレジスタ、２７１０は映像信号制御部、２７１４は復号手段である。
【００２５】
アドレス生成器２７０５のＶＲＡＭアドレス生成までについての動作は、従来例と差がなく、ここでは省略する。ＶＲＡＭ２７０６には、図３２のように文字コードのみだけでなく、上位２ビットを用いた文字の対称性のデータが含まれている。
【００２６】
この２ビットはフォントＲＯＭアドレス生成器２７０７、および復号器２７１４に接続される。前記の２ビットの情報に従い、上下対称文字であったとすると、アドレス生成器２７０７では、文字のドットデータは、上側のデータから下側データは復元できるので、上側にあたる第１ラインから第９ラインまでのアドレスだけを生成する。下側の表示時には、第１０ラインでは第９ラインのアドレス、第１１ラインでは第８ラインのアドレスと変化し、最後の第１８ラインでは、第１ラインのアドレスを出力するように動作を切換え、復号器２７１４では、前記データを変換することなく出力する。
【００２７】
文字が左右対称の場合には、アドレス生成器２７０７では文字のドットデータは、左側のデータから右側データは復元できるので、左側にあたるアドレスだけ生成する。右側の表示時には前記左側の表示状態を保持し、復号器２７１４において、左右対称の信号を受理し、データの上位と下位を反転することで、左右とも表示される。このように、ＶＲＡＭ２７０６における上位２ビットの文字対称のデータにより、アドレス生成器２７０７、復号器２７０８を制御することで、対称文字の断片データからの復元が可能になる。
【００２８】
シフトレジスタ２７０９は、文字データのパラレルデータをドットごとに変換するシフトレジスタであり、そのドットデータから、映像信号制御部２７１０でビデオ信号に文字を付加する。
【００２９】
【特許文献１】
特開２００１−５１６６９号公報
【特許文献２】
特開平６−１３８８６６号公報
【００３０】
【発明が解決しようとする課題】
しかしながら、前記従来の方法において、第一の例では縁表示をするために、文字ドットパターンと同じ記憶容量を有する縁ドットパターンのＲＯＭが必要となり、記憶容量が大きくなる欠点を有している。
【００３１】
前記記憶容量増加の問題の改善策である第二の例では、文字データ３ライン分から演算するため、バッファ、シフトレジスタのような、縁演算回路の増加が発生する。さらに１ラインの表示に３回のアクセスが必要となるので、ＲＯＭのアクセスによる消費電力を３倍にまで増大させてしまう。
【００３２】
ＲＯＭアクセス回数、記憶容量の削減手段として、対称性を有する文字を演算により復元するようにした前記第三の例においては、記憶容量の削減は可能であり、消費電力についても改善できるものであるが、文字指定コードに文字の対称などの特殊性を示すコードを付加しているため、指定できるフォント数が小さくなるとともに、文字の記憶容量の削減が断片的になり、小さな空きエリアが多数発生することとなるため、実質的には記憶容量の削減につながらない、という欠点を有していた。
【００３３】
本発明は上記従来の問題を解決するためになされたもので、表示文字をＲＯＭに格納する以前に、文字から表示効果の例として縁を生成し、それに対し文字と縁の状態から復号分離が可能な符号化を施し、１つの記憶装置に格納することで、記憶容量が従来の第一例の記憶容量の２倍になる欠点を改善するものである。
【００３４】
さらに本発明にかかる表示方法は、１ラインの縁付き文字の表示を、１回のＲＯＭアクセスで実現することにより、第二の従来例のＲＯＭアクセスの増加による消費電力の増加をもなくすことができるのである。
【００３５】
さらに前記の１ラインのデータ読み出しを分割することで、復号回路規模を小さくするとともに、ＲＯＭを上位・下位と切換動作させ、上位下位の全体において、１回でのアクセスと変わりない消費電力を実現するものである。
【００３６】
そして文字の対称などの特殊性を、その項目ごとにＲＯＭに再配置して組み込み、表示するときにはアドレス値でどの文字特殊性であるか判別することで、表示可能な文字数が少なくならない工夫をほどこし、さらなる低消費電力、かつ小回路規模の文字表示装置を提供することを目的とするものである。
【００３７】
【課題を解決するための手段】
上記課題を解決するために、本発明にかかる表示装置は、復号すると、文字部と、前記文字部に視覚的効果を与える表示効果部とを有する表示効果付き文字に変換されるコードを格納する記憶手段と、前記記憶手段から読み出した前記コードを前記表示効果付き文字に復号する復号手段と、前記復号手段が復号した前記表示効果付き文字を、前記文字部と、前記表示効果付き文字とに分離する分離手段と、前記表示効果を有する文字を表示する時には、前記文字部と前記表示効果部とを出力し、表示効果を必要としない時には、前記表示文字部のみを出力する出力制御手段と、を備えたものである。
【００３８】
また、本発明にかかる表示装置は、前記表示装置において、前記記憶手段から読み出した前記コードを、１ラインにつき、１度の前記コード記憶手段のアクセスで処理する、ことを特徴とするものである。
【００３９】
すなわち、本発明の請求項１にかかる表示装置は、復号されると、文字部と、該文字部に視覚的表示効果を与える表示効果部とを有する表示効果付き文字に変換されるコードを記憶するコード記憶手段と、前記コード記憶手段から読み出したコードを、前記表示効果付き文字に復号する復号手段と、前記復号手段により復号された前記表示効果付き文字を、前記文字部と、前記表示効果部とに分離する分離手段と、視覚的表示効果を有する文字を表示する時には、前記分離手段からの前記文字部と、前記表示効果部とを出力し、視覚的表示効果を有しない文字を表示する時には、前記分離手段からの前記文字部のみを出力する出力制御手段と、を備えた、ことを特徴とするものである。
【００４０】
本発明の請求項２にかかる表示装置は、請求項１記載の表示装置において、文字１ラインの表示を、前記コード記憶手段に対する１回のアクセスで行う、ことを特徴とするものである。
【００４１】
本発明の請求項３にかかる表示装置は、請求項２記載の表示装置において、文字１ラインのドットを分割した数と同数の、前記復号手段および前記分離手段を備え、該複数の復号手段および分離手段を用いて、前記文字１ラインの表示を行う、ことを特徴とするものである。
【００４２】
本発明の請求項４にかかる表示装置は、請求項２記載の表示装置において、文字１ラインのドット数を複数個に分割し、その分割された各文字部分ライン間を切り替える切り替え手段を備え、１つの前記復号手段のみにより、前記コード記憶手段からコード読み出し、前記表示効果付き文字に復号する、ことを特徴とするものである。
【００４３】
本発明の請求項５にかかる表示装置は、請求項１記載の表示装置において、文字１ラインのドットを分割した数と同数の、前記コード記憶手段を備え、該複数のコード記憶手段をアクセスする、ことを特徴とするものである。
【００４４】
本発明の請求項６にかかる表示装置は、請求項５記載の表示装置において、文字１ラインのドットを分割した数と同数の前記コード記憶手段上に、アドレスを設け、１つの前記復号手段のみにより、前記コード記憶手段からコード読み出し、前記表示効果付き文字に復号する、ことを特徴とするものである。
【００４５】
本発明の請求項７にかかる表示装置は、請求項１記載の表示装置において、前記表示効果部は、文字部を表示する文字部表示領域の左右両側の文字表示領域１ドットに対して表示を行う、ことを特徴とするものである。
【００４６】
本発明の請求項８にかかる表示装置は、文字部を文字部表示領域に表示し、該文字部に視覚的表示効果を与える表示効果部を前記文字部表示領域の左右両側の文字表示領域１ドットに表示する表示装置であって、復号されると、文字部と、前記表示効果部とを有する表示効果付き文字に変換されるコードの１ラインのドットを分割して格納する複数のコード記憶手段と、前記複数のコード記憶手段から読み出したコードを、前記表示効果付き文字に復号する復号手段と、前記復号手段により復号された前記表示効果付き文字を、前記文字部と、前記表示効果部とに分離する分離手段と、視覚的表示効果を有する文字を表示する時には、前記分離手段からの前記文字部と、前記表示効果部とを出力し、視覚的表示効果を有しない文字を表示する時には、前記分離手段からの前記文字部のみを出力する出力制御手段と、を備えた、ことを特徴とするものである。
【００４７】
本発明の請求項９にかかる表示装置は、請求項８記載の表示装置において、文字１ラインのドット数を分割した数が、２であり、前記コード記憶手段のデータが、該２分割による第１部と、第２部とが、反転している、ことを特徴とするものである。
【００４８】
本発明の請求項１０にかかる表示装置は、請求項１ないし９のいずれかに記載の表示装置において、前記表示効果部は、前記文字部に対する縁部である、ことを特徴とするものである。
【００４９】
本発明の請求項１１にかかる表示装置は、請求項１０記載の表示装置において、前記文字部に対する縁部が、８方向に設けられている、ことを特徴とするものである。
【００５０】
本発明の請求項１２にかかる表示装置は、請求項１ないし９のいずれかに記載の表示装置において、前記コード記憶手段の内容の特殊性に基づき、記憶するデータの圧縮を行うとともに、その特殊性に基づき、前記コード記憶手段内の文字データを分類し、連続に再配置された前記データ記憶手段のデータにより、復元表示する、ことを特徴とするものである。
【００５１】
本発明の請求項１３にかかるフォント生成装置は、複数の文字ドットパターン、および複数の文字コードを入力して、文字の形状の特殊性に基づき再配置を行い、新たな複数の文字コード、および複数の文字ドットパターンの双方を、出力する、ことを特徴とするものである。
【００５２】
本発明の請求項１４にかかるフォント生成装置は、文字ドットパターンを入力して、その文字に視覚的表示効果を与える表示特殊効果を生成し、該表示特殊効果と、前記文字ドットパターンとを、組み合わせて符号化する、ことを特徴とするものである。
【００５３】
【発明の実施の形態】
（実施の形態１）
本発明の実施の形態１に係る表示装置について、図１ないし図８を用いて説明する。
図１は、本実施の形態１における表示装置のブロック図、図２ないし図６は、本実施の形態１における、表示出力と、文字・縁の符号化を示す図、図７は、本実施の形態１における、表示出力（ａ）と、文字・縁の符号化のフロー（ｂ）と、復号分離（ｃ）とを示す図、図８は、本実施の形態１による表示装置の動作説明図である。
【００５４】
図１に示す本実施の形態１の表示装置のブロック図において、１０１はラインカウンタ、１０２はドットカウンタ、１０３は垂直文字カウンタ、１０４は水平文字カウンタ、１０５はＶＲＡＭアドレス生成器、１０６はＶＲＡＭ、１０７はフォントＲＯＭアドレス生成器、Ｓ１０７はＲＯＭアドレス、１０８は文字部と特殊表示効果部をコード化した符号化ＲＯＭ、Ｓ１０８ａは前記符号化ＲＯＭ１０８データの上位８ビットデータ、Ｓ１０８ｂは前記符号化ＲＯＭ１０８の下位８ビットデータ、１１４ａおよび１１４ｂは文字／縁復号分離回路、Ｓ１１４ａａは上位文字データ、Ｓ１１４ａｂは上位縁データ、Ｓ１１４ｂａは下位文字データ、Ｓ１１４ｂｂは下位縁データ、１０９ａおよび１０９ｂはシフトレジスタ、Ｓ１０９ａは文字部の制御出力信号、Ｓ１０９ｂは特殊表示効果部の制御出力信号、１１０は映像信号制御部、Ｓ１１０ｉｎはビデオ信号入力、Ｓ１１０はビデオ信号出力である。ここで、符号化ＲＯＭ１０８は、請求項に記載したコード記憶手段に相当し、文字・縁復号分離手段１１４ａ、１１４ｂは、請求項に記載した復号手段および分離手段に相当し、映像信号制御部１１０は、請求項に記載した出力制御手段に相当するものである。
【００５５】
図２ないし図６は、特殊表示効果として、文字に対する縁を表示する場合の表示例と、符号化について示すものである。図２ないし図６は、文字を縦中心より２分割して符号化した例であり、左側表示に対し、左表示符号化を施して得た符号化ＲＯＭデータ（以下、符号化コードとも称す）、および右側表示に対し右表示符号化を施して得た符号化ＲＯＭデータについて示している。キャラクタ表示ドットにて、黒になっている部分が文字部であり、灰色の部分は縁部である。また、１、２、３、４、５、６、７、８、９、１０、１１、１２の番号は、表示ドットの順番を示す（以下、番号ｎが付されたキャラクタ表示ドットを、キャラクタ表示ドットｎと表記する）。両端の左右縁（図には、外縁領域と記す）は、文字の表示領域を越えて左右１ドットずつはみだして縁を表示させる場合のためのものである。また、符号化ＲＯＭデータは、キャラクタ表示ドットのいずれのドットにて、文字あるいは縁を表示するかを示すデータであり、例えば、キャラクタ表示ドット６に縁を表示する状態は、「０１」、キャラクタ表示ドット５に縁を、キャラクタ表示ドット６に文字を表示する状態は「０２」とされている。なお、この例では、左右の２種類の符号化手段を記載したが、１種類の符号化手段により縁付きの文字を表示するようにすることも可能である。
【００５６】
以降の説明においては、この図２ないし図６に示した符号化を例として、発明の実施の形態を説明する。図２ないし図６に示す符号化コードは、文字縁復号分離部１１４ａおよび１１４ｂにて、文字出力としては、黒色の部分が１、白または灰色の部分が０、となるように、また縁出力には、灰色の部分が１、白または黒の部分が０、となるようにされるものである。
【００５７】
図７は、文字部としてＡを表示した場合の表示例と、符号化ＲＯＭ１０８のデータの作成フローと、前記フローで作成された符号化ＲＯＭ１０８のデータから、文字、縁を分離出力した結果と、を示すものである。図７の文字例Ａにおいて、第５ラインにおける表示例を、図１、および図８の動作説明図をもとに説明する。
【００５８】
ドットカウンタ１０２はドットクロックをカウントすることにより、横方向の最小単位であるドットを決定するものである。図７（ａ）の文字例Ａは、０〜１１の１２ドットで１文字の１ラインの領域を形成している。その桁上げ信号をカウントする水平文字カウンタ１０４は、ドットカウンタ１０２のオーバーフローによりカウントアップするものである。そのため、１文字の１ラインの１２ドット区間では同一値となる。ラインカウンタ１０１は、画面の縦方向の最小単位である走査線をカウントすることにより、縦方向の最小単位であるラインを決定するものである。図７（ａ）の文字例Ａは、０〜１７の１８ラインで１文字を構成している。垂直文字カウンタは、ラインカウンタ１０１のカウント値の桁上げ信号をカウントする。１０６は、文字コードを格納しているＶＲＡＭである。
【００５９】
フォントＲＯＭアドレス生成器１０７は、ラインカウンタ１０１のカウント値と、ＶＲＡＭ１０６のコード値を１８倍したものとを加算して、その加算値を出力するものであり、ＲＯＭアドレスＳ１０７は、ラインカウンタ１０１の値（この場合は４）、およびＶＲＡＭ１０６のコード値（この場合は０）から、０００４ｈとなる。このとき、符号化ＲＯＭ１０８に格納されているデータは、図７（ｃ）より、３１３９ｈであり、左側表示のための上位データＳ１０８ａは、３１ｈ、右側表示のための下位データＳ１０８ｂは、３９ｈとなる。ここで、符号化ＲＯＭ１０８に格納されているデータは、フォント生成装置（図示せず）により、図７（ｂ）のフローで作成されたものである。フォント生成装置は、文字ドットパターンを入力して、その文字に視覚的表示効果を与える表示特殊効果を生成し、該表示特殊効果と前記文字ドットパターンとを組み合わせて符号化するものであり、この例の場合、文字の１ラインのドットを、左側表示と右側表示とに分離し、分離された左側表示を図２ないし図６の左表示符号化に変換したものと、分離された左側表示を図２ないし図６の左表示符号化に変換したものとを結合し、該結合されたデータにアドレスを付与する。
【００６０】
文字／縁復号分離回路１１４ａおよび１１４ｂは、図７（ｃ）のように、文字部と縁部との復号分離を行う。その結果、上位データＳ１０８ａである３１ｈは、左６ドットの文字部にあたる上位文字データＳ１１４ａａの００１１１０と、その縁部にあたる上位縁データＳ１１４ａｂの１１００１とに復号分離され、下位データＳ１０８ｂである３９ｈは、右６ドットの文字部にあたる下位文字データＳ１１４ｂａの０１１０００と、縁部にあたる下位縁データＳ１１４ｂｂの１００１１１と、に復号分離される。
【００６１】
シフトレジスタ１０９ａには、上位文字データＳ１１４ａａのデータが上位に、下位文字データＳ１１４ｂａのデータが下位に格納され、３９８ｈとなる。同様に、シフトレジスタ１０９ｂには、上位縁データＳ１１４ａｂのデータが上位に、下位縁データＳ１１４ｂｂのデータが下位に格納され、Ｃ６７ｈとなる。文字部の制御出力信号Ｓ１０９ａは、シフトレジスタ１０９ａの最上位桁である。それゆえ、３桁の１６進数において最上位の桁が８以上のとき１となり、それ未満では０である。初期のドットカウント値の０では、最上位の桁は３になるので０となり、前記カウント値が１でも０、２のとき１というようになり、００１１１００１１０００の１２ドットのデータとなり、文字部の制御出力信号Ｓ１０９ａとして、映像信号制御部１１０に入力される。同様に、Ｓ１０９ｂは、シフトレジスタ１０９ｂの最上位桁である。前述と同一の動作となり、初期のドットカウントが０では１、１でも１、２のとき０というようになり、１１０００１１００１１１の１２ドットのデータとなり、縁部の制御出力信号Ｓ１０９ｂとして、映像信号制御部１１０に入力される。
【００６２】
映像信号制御部１１０では、文字部の制御出力信号Ｓ１０９ａまたは縁部の制御出力信号Ｓ１０９ｂに従い、文字部の制御出力信号Ｓ１０９ａが０で、かつ縁部の制御出力信号Ｓ１０９ｂが１のときに、黒となるように低い電圧値とし、文字部の制御出力信号Ｓ１０９ａが１のときには白となるように高い電圧値としたビデオ出力信号Ｓ１１０を生成する。
【００６３】
以上のような本実施の形態１による表示装置においては、復号されると、文字部と表示効果部とを有する表示効果付き文字に変換されるコードを格納する記憶手段と、前記コード記憶手段から読み出した前記コードを、表示効果付き文字に復号する復号手段と、前記復号手段が復号した前記表示効果付き文字を、前記文字部と前記表示効果部に分離する分離手段と、前記表示効果を有する文字を表示する時には、前記文字部と前記表示効果部を出力し、表示効果を必要としない時には、前記表示文字部のみを出力する出力制御手段とを備え、表示文字からＲＯＭへの変換において、文字と表示効果として縁の演算を行い、文字と縁とを復号分離可能とすることによりデータの小容量化を実現するようにした。
【００６４】
また、表示時においては、１ライン中のデータを分割することで、前記文字縁分離復号回路を小さくできるようにすることにより、文字記憶容量の削減および回路規模の削減を図るとともに、低消費電力であるものを得ることができる。
【００６５】
（実施の形態２）
本発明の実施の形態２に係る表示装置について、図９ないし図１２を用いて説明する。
図９は本実施の形態２における表示装置のブロック図、図１０は本実施の形態２における、表示出力（ａ）と、文字・縁の符号化のフロー（ｂ）と、復号分離（ｃ）とを示す図、図１１は本実施の形態２による表示装置の左右反転動作を説明する図、図１２は本実施の形態２による表示装置の動作説明図である。
【００６６】
図９に示す本実施の形態２の表示装置のブロック図において、５０１はラインカウンタ、５０２はドットカウンタ、５０３は垂直文字カウンタ、５０４は水平文字カウンタ、５０５はＶＲＡＭアドレス生成器、５０６はＶＲＡＭ、５０７はフォントＲＯＭアドレス生成器、Ｓ５０７はＲＯＭアドレス、５０８は文字部と特殊表示効果部をコード化した符号化ＲＯＭ、５１６は前記ＲＯＭの上位下位データ切換器、Ｓ５１６は上位下位切換データ、５１７はタイミング制御回路、５１４は文字／縁復号分離回路、Ｓ５１４ａは文字データ出力、Ｓ５１４ｂは縁データ出力、５１５ａ、および５１５ｂはデータ選択回路、Ｓ５１５ａは文字部の制御出力信号、Ｓ５１５ｂは特殊表示効果部の制御出力信号、５１０は映像信号制御部、Ｓ５１０ｉｎはビデオ信号入力、Ｓ５１０はビデオ信号出力である。ここで、上位下位データ切換器５１６は、請求項に記載した切り替え手段に相当するものである。
【００６７】
本実施の形態２の上記実施の形態１との相違点について、図９ないし図１１を用いて説明する。
まず、文字表示から符号化ＲＯＭ５０８のデータを作成するフォント生成装置において、実施の形態１の内容では、図２ないし図６に示した左右の２つの手段を用いた。本実施の形態２では、左側はそのままとして、右側について左右反転を行い、左側の符号化手段のみを用いる。フォント生成装置において文字表示から符号化する方法は、図１０（ｂ）にフローとして示したように、文字の１ラインのドットを、左表示（左６ドット）と右表示（右６ドット）とに分離し、分離された左表示を図２ないし図６の左表示符号化に変換したものと、右表示を左右反転した結果を図２ないし図６の右表示符号化に変換したものとを結合し、該結合されたデータにアドレスを付与するものである。図１０（ｃ）の表においては、前記符号化データと文字、縁の復号分離出力について、文字例Ａの表示出力によるものがあるが、左右が対称の部分であるアドレス０００１ｈの第２ラインについて注目すれば、左右文字・縁分離出力が同結果であり、１つの復号分離手段５１４より結果を出力している。符号化、復号分離手段は１方式とし共用化を図り、データ選択回路５１５ａ，５１５ｂ、および中間でデータを切り替える上位下位データ切換器５１６、をも工夫して、右側の左右反転動作を入れ、復元したものである。
【００６８】
前記選択手段５１５ａ、５１５ｂの動作、上位下位データ切換器５１６の動作を、図１１を参照しながら説明する。
ドットカウント５０２のドットカウント値が０〜５の左表示の区間では、上位下位データ切換器５１６からの上位下位切換データＳ５１６は上位側となり、選択出力はドットカウントの増加、すなわち左から右へ表示が移動することに対して、データの選択は、最上位の桁から最下位へ移動する。一方、ドットカウント値が６〜１１の区間では、上位下位データ切換器５１６からの上位下位切換データＳ５１６は下位側となり、ドットカウント値の増加とともに、カウント値が５以下の時と反転の動作をし、最下位の桁から最上位の桁へ移動する。これにより、符号化のときに反転されたものにさらに反転がかかるため、復元することができる。
【００６９】
前記実施の形態１と同様に、図１０に示す文字例Ａにおいて、第５ラインにおける表示例を、図９、および図１２の動作説明図をもとに説明する。
ドットカウンタ５０２は、ドットクロックをカウントするものであり、０〜１１の１２ドットで１文字の領域を形成している。ＲＯＭアドレスＳ５０７は、前述と同様に、０００４ｈとなる。このとき、符号化ＲＯＭ５０８に格納されているデータも、前記実施の形態１の動作例と同様に、３１３９ｈである。上位下位データ切換器５１６は、ドットカウント値が０〜５の前半６ドット区間は、上位のデータである３１ｈを、上位下位切換データＳ５１６に出力し、ドットカウンタ６〜１１の後半６ドット区間は、下位のデータである３９ｈを、上位下位切換データＳ５１６に出力する。上位下位切換データＳ５１６を受けて、文字・縁復号分離手段５１４は、図２ないし図６における左６ドットの符号化手段に対する反対の復号分離動作をするものであり、ドットカウントが０〜５の前半６ドットの文字部は００１１１０、縁部は１１０００１、後半６ドットの文字部は００１１００、縁部は１１１００１となり、文字部は文字データ出力Ｓ５１４ａに、縁部は縁データ出力Ｓ５１４ｂに、出力する。選択回路５１５ａ、または５１５ｂでは、前述の図１０に従い、文字データ出力Ｓ５１４ａ，縁データ出力Ｓ５１４ｂのそれぞれのデータにおける１種類を選択する。それゆえに、文字部の制御出力信号Ｓ５１５ａは、ドットおきに００１１１００１１０００となり、縁部の制御出力信号Ｓ５１５ｂは、ドットおきに１１０００１１００１１１となる。映像信号制御部５１０では、制御信号Ｓ５１５ａまたはＳ５１５ｂに従い、Ｓ５１５ａが０で、かつＳ５１５ｂが１のときに黒となるように低い電圧値とし、Ｓ５１５ａが１のときには白となるように高い電圧値としたビデオ出力信号Ｓ５１０を生成する。
【００７０】
以上のような本実施の形態２による表示装置においては、復号されると、文字部と表示効果部とを有する表示効果付き文字に変換されるコードを格納する記憶手段と、前記コード記憶手段から読み出した前記コードを、表示効果付き文字に復号する復号手段と、前記復号手段が復号した前記表示効果付き文字を、前記文字部と前記表示効果部に分離する分離手段と、前記表示効果を有する文字を表示する時には、前記文字部と前記表示効果部を出力し、表示効果を必要としない時には、前記表示文字部のみを出力する出力制御手段とを備え、表示文字からＲＯＭへの変換において、文字と表示効果として縁の演算を行い、文字と縁とを復号分離可能とすることによりデータの小容量化を実現するようにするとともに、  文字１ラインのドット数を分割する切り替え手段を備え、１つの復号手段のみにて処理を行うようにし、かつ、文字１ラインのドットを分割した数と同数の前記コード記憶手段を備え、該複数のコード記憶手段をアクセスするようにし、さらに、文字形状の対称性を抽出し、その対象の内容ごとに文字配列の再配置を行い、ＲＯＭに格納するようにしたので、対称文字の記憶容量を削減することができる。
【００７１】
また、表示時においては、１ライン中のデータを分割することで、前記文字縁分離復号回路を小さくできるようにすることにより、文字記憶容量の削減および回路規模の削減を図るとともに、低消費電力であるものを得ることができる。
【００７２】
（実施の形態３）
本発明の実施の形態３に係る表示装置について、図１３ないし図１７を用いて説明する。
図１３は本実施の形態３における表示装置のブロック図、図１４は本実施の形態３における、表示出力（ａ）と、文字・縁の符号化のフロー（ｂ）と、復号分離（ｃ）とを示す図、図１５は本実施の形態３による表示装置の動作説明図である。
【００７３】
図１３に示す本実施の形態３の表示装置のブロック図において、９０１はラインカウンタ、９０２はドットカウンタ、９０３は垂直文字カウンタ、９０４は水平文字カウンタ、９０５はＶＲＡＭアドレス生成器、９０６はＶＲＡＭ、９０７はフォントＲＯＭアドレス生成器、Ｓ９０７はＲＯＭアドレス、９０８は文字部と特殊表示効果部をコード化した符号化ＲＯＭ，９１７はタイミング制御回路、９１４は文字／縁復号分離回路、Ｓ９１４ａは文字データ出力、Ｓ９１４ｂは縁データ出力、９１５ａおよび９１５ｂはデータ選択回路、Ｓ９１５ａは文字部の制御出力信号、Ｓ９０９ｂは特殊表示効果部の制御出力信号、９１０は映像信号制御部、Ｓ９１０ｉｎはビデオ信号入力、Ｓ９１０はビデオ信号出力である。
【００７４】
本実施の形態３の、上記実施の形態２との相違点について、図１４を用いて説明する。
まず、フォント生成装置にて、文字表示から符号化ＲＯＭ９０８のデータを作成する方法は、図１４（ｂ）にフローとして示したように、文字の１ラインのドットを、左表示と右表示とに分離し、分離された左表示を図２ないし図６の左表示符号化に変換したものと、右表示を左右反転した結果を図２ないし図６の右表示符号化に変換したものとのそれぞれにアドレスを付与するものである。前記フローにて、実施の形態２によるものとの相違点はアドレスの付与にある。本実施の形態３においては左右のデータそれぞれにアドレスが付与されるとともに、データ出力幅も１／２にする。たとえば前記図１０では、符号化ＲＯＭ９０８のデータのデータ幅は１６ビットデータ（１６進数  ４桁）であったが、ここでは半分の８ビット（１６進数  ２桁）になる。このように構成することで、上記実施の形態２の上位下位切換を不要にすることができる。
【００７５】
図１４の文字例Ａにおいて、第５ラインにおける表示例を、さらに、図１３、図１５の動作説明図をもとに説明する。
ドットカウンタ９０２は、ドットクロックをカウントするものであり、０〜１１の１２ドットで１文字の領域を形成している。フォントＲＯＭアドレス生成器９０７には、タイミング制御回路９１７で作成された信号が接続されている。ドットカウンタ９０２が中点となる６をカウントするところで、前記タイミング制御回路９１７は出力し、フォントＲＯＭアドレス生成器９０７は、その信号によりアドレスを１増加させる。ＲＯＭアドレスＳ９０７は、左右の符号化にそれぞれアドレスが設けられているので、実施の形態２によるものの２倍となり、第５ラインでは、０００８ｈとなり、タイミング制御回路９１７から中間のドットを受け取ると、０００９ｈと変化する。このとき、符号化ＲＯＭ９０８に格納されているデータは、図１４より、左側では３１ｈ、右側では３９ｈである。前記データを受けて、文字／縁復号分離回路９１４の出力は、左側の６ドット区間において、上位文字データＳ９１４ａは００１１１０、上位縁部データＳ９１４ｂは１１０００１、次に右側６ドットの文字部である文字データ出力Ｓ９１４ａは０００１１０、縁部である縁データ出力Ｓ９１４ｂは１１１００１となる。選択回路９１５ａ、９１５ｂは図１０に示したものと同様の構成であり、左側６ドットではカウント値が０，１、２と増加するに従い、選択するデータのビット位置は５，４、３と減少するが、右側では反対に増加する。それゆえ、文字部の制御出力信号Ｓ９１５ａは、ドットおきに００１１１００１１０００となり、縁部の制御出力信号Ｓ９１５ｂは、ドットおきに１１０００１１００１１１となる。映像信号制御部９１０では、Ｓ９１５ａまたはＳ９１５ｂの制御信号に従い、Ｓ９１５ａが０で、かつＳ９１５ｂが１のときに黒となるように低い電圧値とし、Ｓ９１５ａが１のときには白となるように高い電圧としたビデオ出力信号Ｓ９１０の信号を生成する。
【００７６】
以上のような本実施の形態３による表示装置においては、文字１ラインのドット数を分割するとともに、該分割数と同数の前記コード記憶手段上にアドレスを設け、１つの復号手段のみにて、上記１ラインの処理を行うようにしたので、表示時においては、１ライン中のデータを分割することで、前記文字縁分離復号回路を小さくすることができ、文字記憶容量の削減および回路規模の削減を図ることができるとともに、左右のデータそれぞれにアドレスを付与することにより、データ出力幅も１／２と小さくすることができ、実施の形態２の上位下位切換を不要にすることができ、回路を小型に形成することができる。
【００７７】
（実施の形態４）
本発明の実施の形態４に係る表示装置について、図１６ないし図１９を用いて説明する。
図１６は本実施の形態４における表示装置のブロック図、図１７は本実施の形態４における、表示出力（ａ）と、文字・縁の符号化のフロー（ｂ）と、復号分離（ｃ）とを示す図、図１８は本実施の形態４における、左右隣接文字に対する文字・縁の合成説明図、図１９は本実施の形態４による表示装置の動作説明図である。
【００７８】
図１６に示す本表示装置のブロック図において、１２０１はラインカウンタ、１２０２はドットカウンタ、１２０３は垂直文字カウンタ、１２０４は水平文字カウンタ、１２０５はＶＲＡＭアドレス生成器、１２０６はＶＲＡＭ、１２０７はフォントＲＯＭアドレス生成器、Ｓ１２０７はＲＯＭアドレス、１２０８は文字部と特殊表示効果部をコード化した符号化ＲＯＭ、１２１７はタイミング制御回路、１２１４は文字／縁復号分離回路、Ｓ１２１４ａは文字データ出力、Ｓ１２１４ｂは縁データ出力、１２１８は隣接文字のドット合成回路、１２１５ａまたは１２１５ｂはデータ選択回路、Ｓ１２１５ａは文字部の制御出力信号、Ｓ１２０９ｂは特殊表示効果部の制御出力信号、１２１９は縁取り有り無しの制御部、１２１０は映像信号制御部、Ｓ１２１０ｉｎはビデオ信号入力、Ｓ１２１０はビデオ信号出力である。
【００７９】
本実施の形態４の、上記実施の形態１ないし３との相違点は、図１７に示す表示例のように、隣接する左右文字の領域にまで縁表示を実現したものである。また、縁が不要なときには、縁表示を無表示にする制御回路を付加し、同時にその縁表示により、隣接する左右文字領域に発生する縁表示が文字表示を妨げないようにしたものである。
【００８０】
図１７は、文字部として左右の表示領域限度までにしたＡを表示した場合の縁付き文字表示例と、符号化ＲＯＭ１２０８のデータの作成フローと、前記フローで作成された符号化ＲＯＭ１２０８のデータから文字、縁の復号分離出力結果を示すものである。本実施の形態４の説明では、図２ないし図６の符号化手段を１例として説明する。表示出力からの符号化の方法としては、実施の形態３におけるものと同様に、左表示と右表示とに分割し、分離された左表示を図における左縁の左側の文字領域にはみ出した部分も含めて左表示符号化手段を使い、右表示は左右を反転して、前述の図２ないし図６の左表示符号化手段を用い、１つの手段で符号化をするとともに、それぞれにアドレスを付与するものである。表では、図１６における、前記符号化手段１２１４の結果から逆に、文字縁復号分離出力を示す。
【００８１】
図１８は、選択回路１２１５ａ、１２１５ｂの出力と、ドットカウンタ１２０１のドットカウント値との関係（ａ）、図１６における隣接文字のドット合成回路１２１８の構成（ｂ）を示したものである。ｂｐはデータのビット位置を示す省略記号、Ｄは、フリップフロップあるいはラッチ回路などよりなり、ドットカウントが０の位置で前のデータを記憶する記憶手段である。
【００８２】
縁復号分離出力は、文字の左右両側に１ドットの縁を表示させる。１文字の１ラインあたりのドット数は１１、０、２、…９、１０、１１、０の１４ドットであり、２分割では７ビットとなる。符号化データの取りこみを、前記実施の形態３と同様にドットカウントの０になる点とすると、文字のデータが確定する点はそれ以降となる。
【００８３】
そのため選択出力は、ドットカウント値が０において、前表示文字の最後のドットデータであるｂｐ５（ｎ−１）と、符号化データで取りこまれた直後の表示文字に対する左側にはみ出した縁であるｂｐ６と、の論理和信号となる（表示している文字を中心に、ｎ−１は一文字前、ｎ＋１は一文字後を示す）。
【００８４】
次にカウント値が１においては、前表示文字の右方向へのはみ出しドットデータであるｂｐ６（ｎ−１）と、表示文字の１ドット目になり、ｂｐ５に対する右側にはみ出した縁と、の論理和信号となる。
【００８５】
次にカウント値が２においては、前表示文字の影響はなく、表示文字の２ドット目になりｂｐ４となり、以降はカウントの増加とともに、表示文字の選択は小さくなり、カウント６で表示文字の最後のｂｐ０を選択する。
【００８６】
そして次のカウント値が７の点で、右側の反転された符号化データを取り出す。選択出力はカウント値が７，８，９，１０，１１となるにつれて、選択されるビットも０，１，２，３，４と増加する。そして残りの２ドットについてはこの文字の右隣になる文字の影響を受けることとなる。この状態は本説明の最初のカウント値が０の位置と同様である。この動作を繰り返すことで、左右の隣接文字に縁表示が可能となる。前述の第１から第３の実施の形態では、１ライン１２ドットを２分割された６ドットの中間点を境として、反転した動作をしていたが、本発明では中間点からずれたカウント値が７となる位置で反転動作する。
【００８７】
次に文字側については左右の影響は受けない。それゆえ、選択出力も、上記実施の形態３と同様にするところであるが、ドットパターンを記憶している符号化データ、およびその復号分離手段は、文字と縁部分が共用のため、カウント値が０の位置は１文字前の右側最終の表示でなければならず、一文字前の最後のデータｂｐ５（ｎ−１）を表示し、次から表示文字を選択する。
【００８８】
ドットの選択は縁と同期をとるために同一であり、カウントが１，２，３，４，５，６となると選択されるｂｐは、５、４，３，２，１，０となる。カウント７からはカウント値が７，８，９，１０，１１となると、０，１，２，３，４と増加する。次文字の符号化データのアクセスが０の直前で行われるため、前文字の最後のドットにあたるｂｐ５は保持して次のカウント０のときに表示される。
【００８９】
前記の実施の形態３と同様に、図１７に示す文字例Ａにおいて、第７ラインにおける表示例を図１６、図１７および図１８の動作説明図をもとに説明する。ドットカウンタ１２０２はドットクロックをカウントするものであり、０〜１１の１２ドットで１文字の領域を形成している。ＲＯＭアドレスＳ１２０７は、第３の実施の形態と同様に、０００Ｃｈからタイミング制御回路１２１７がドットカウント７の位置で信号を発生し、０００Ｄｈと変化する。このときＳ１２０８の符号化ＲＯＭ１２０８に格納されているデータは、左側部分ではＣ６ｈ、右側部分ではＣＥｈである。それらに対するそれぞれの文字データ出力Ｓ１２１４ａは、左側が１１１０００、右側は１１００００であり、縁データ出力Ｓ１２１４ｂは、左側が１０００１１０、右側が１００１１１０となる。左右の文字部分についてはアドレスが確定していない状態であり、本来ならばこれらの文字縁分離出力も不定となるべきであるが、説明の都合上、文字は００００００、縁部は０００００００と無表示状態とした。文字データ出力Ｓ１２１４ａ、縁データ出力Ｓ１２１４ｂは選択回路１２１５ａ、１２１５ｂ、および隣接文字のドット合成回路１２１８に接続される。
【００９０】
文字部の遅延信号Ｓ１２１８ａはドットカウントが０の位置にて、前表示文字である右側であり、最も右端に表示される最上位のデータである０が、さらに縁部の遅延信号Ｓ１２１８ｃには前表示縁である右側であり、最も右端に表示される隣の文字からはみ出し部分となる最上位のデータである０が、縁部の遅延信号Ｓ１２１８ｂには前表示文字である右側であり、文字領域としては最も右端に表示される最上位から１つ下のデータである０が、それぞれ格納される。文字部選択回路１２１５ａでは、ドットカウントが０の位置で文字部の遅延信号Ｓ１２１８ａの値０が出力され、その後カウント値の６までの増大とともに、文字データ出力Ｓ１２１４ａの値が最上位から１１１０００と順番に出力される。さらにドットカウントが７，８，９，１０，１１となると、文字データ出力Ｓ１２１４ａの最下位からとなり、００００１となり、最上位のデータは縁部の遅延信号Ｓ１２１８ｃに格納され、次の文字カウンタ２、かつドットカウントが０のときにその値が出力される。
【００９１】
縁部選択回路１２１５ｂでは、ドットカウントが０の位置において、縁部の遅延信号Ｓ１２１８ｂの値０と、縁データ出力Ｓ１２１４ｂの最上位である１との論理和となり、１が出力され、次のドットカウント値が１では縁部の遅延信号Ｓ１２１８ｃの値０と縁データ出力Ｓ１２１４ｂの最上位から次のデータである０との論理和となり、０が、その後カウント値の６までの増大とともに、文字データ出力Ｓ１２１４ａの値が最上位から３番目のデータが順に出力され、００１１０となる。さらにドットカウントが７，８，９，１０，１１となると、縁データ出力Ｓ１２１４ｂの最下位から出力され、０１１１０となり、続く文字カウンタ２、かつドットカウントが０のときには前述にもどり、縁部の遅延信号Ｓ１２１８ｂの値０と縁データ出力Ｓ１２１４ｂの最上位である０との論理和となり０が出力され、最後にドットカウント値が１では縁部の遅延信号Ｓ１２１８ｃの値１と、縁データ出力Ｓ１２１４ｂの最上位から次のデータである０との論理和となり１が出力されることになる。映像信号制御部１２１０では文字部の制御出力信号Ｓ１２１５ａまたは縁部の制御出力信号Ｓ１２１５ｂに従い、Ｓ１２１５ａが０で、かつＳ１２１５ｂが１のときに黒となるように低い電圧値とし、Ｓ１２１５ａが１のときには白となるように高い電圧としたビデオ出力信号Ｓ１２１０の信号を生成する。
【００９２】
この表示例では左右の文字がない場合であったが、たとえば前記説明のＡの文字が続く場合を考えると、左右双方からの文字領域を越えて縁を表示しようとすることになる。そのような場合には、文字あるいは縁のどちらかを優先して表示させることになる。本発明の例では文字を優先となるようにしたが、この限りではない。その制御は、オアゲート１２１９よりなる縁取り有り無しの制御部で行われ、論理積回路を用いて、縁部の制御出力信号Ｓ１２１５ｂに対して、文字部の制御出力信号Ｓ１２１５ａの反転信号と論理積をとり、文字が無いときには、縁部の制御出力信号Ｓ１２１５ｂがそのまま出力され、文字がある場合は、縁部の制御出力信号Ｓ１２１５ｂがどのような状態であろうが出力しないようにしたものである。同時に、この回路は縁部が必要ない文字部のみの表示を行う場合にも用いる。映像信号制御部１２１０が文字部の制御出力信号Ｓ１２１５ａが０の状態しか、縁部の制御出力信号Ｓ１２１５ｂの信号を受け付けないようにする回路を有している場合には、縁取り有り無しの制御部１２１９は必要としないが、縁表示が不必要のときの制御には必要である。
【００９３】
選択回路１２１５は、セレクタを用いているが、上記実施の形態１のようなシフトレジスタによる構成も可能である。シフトレジスタに一括転送するビットを反転させる、あるいはシフト方向を反転させることにより、文字の左側と右側とで、文字縁複合分離データの反転させるようにしてもよい。
【００９４】
以上のような本実施の形態４による表示装置によれば、隣接する左右文字の領域にまで縁表示を実現し、また、縁が不要なときには、縁表示を無表示にする制御回路を付加し、同時にその縁表示により、隣接する左右文字領域に発生する縁表示が文字表示を妨げないようにしたので、表示文字からＲＯＭへの変換において、文字と表示効果として縁の演算を行い、文字と縁とを復号分離可能とすることによりデータの小容量化を実現することができる。
【００９５】
さらに、文字形状の対称性を抽出し、その対象の内容ごとに文字配列の再配置を行い、ＲＯＭに格納するようにしたので、対称文字の記憶容量を削減することができ、また、表示時においては、１ライン中のデータを分割することで、前記文字縁分離復号回路を小さくできるようにすることにより、文字記憶容量の削減および回路規模の削減を図るとともに、低消費電力のものを得ることができる。（実施の形態５）
本発明の実施の形態５に係る表示装置について、図２０ないし図２４を用いて説明する。
図２０は本発明の実施の形態５における表示装置のブロック図、図２１は本実施の形態５における、表示出力（ａ）と、文字・縁の符号化フロー（ｂ）と、復号分離（ｃ）を示す図、図２２は本実施の形態５における、符号化ＲＯＭの再配置フローを示す図、図２３は本実施の形態５における、符号化ＲＯＭの再配置を説明する図、図２４は、本実施の形態５による表示装置の動作説明図である。
【００９６】
図２０に示す本表示装置のブロック図において、１６０１はラインカウンタ、１６０２はドットカウンタ、１６０３は垂直文字カウンタ、１６０４は水平文字カウンタ、１６０５はＶＲＡＭアドレス生成器、１６０６はＶＲＡＭ、１６０７はフォントＲＯＭアドレス生成器、１６２０は比較回路、Ｓ１６０７はＲＯＭアドレス、１６０８は文字部と特殊表示効果部をコード化した符号化ＲＯＭ，１６１７はタイミング制御回路、１６１４は文字／縁復号分離回路、Ｓ１６１４ａは文字データ出力、Ｓ１６１４ｂは縁データ出力、１６１８は隣接文字のドット合成回路、１６１５ａまたは１６１５ｂはデータ選択回路、Ｓ１６１５ａは文字部の制御出力信号、Ｓ１６０９ｂは特殊表示効果部の制御出力信号、１６１９は縁取り有り無しの制御部、１６１０は映像信号制御部、Ｓ１６１０ｉｎはビデオ信号入力、Ｓ１６１０はビデオ信号出力である。
【００９７】
本実施の形態５では、図２１に示す表示例のように、左右あるいは上下対称である文字の符号化データを、対称の一方のデータのみを記憶し、そのデータから表示を実現するものである。
【００９８】
本実施の形態５の符号化ＲＯＭ１６０８のデータの作成手順について、図２１ないし図２３を用いて説明する。フォント生成装置における特定文字の符号化ＲＯＭ１６０８のデータの作成方法について、図２１（ｂ）に示す。表示文字としてＡの文字であれば、まずは文字をドットに細分したデータを入力する。
【００９９】
次に前記文字の対称性を例に説明する。この場合は左右対称となる。その場合は左あるいは右のいずれかの片側のデータと、表示文字の特殊効果である縁の双方から、１ラインごとに符号化の規則に基づき変換する。そして、前記ラインごとにアドレスを割り当て、ＲＯＭ上に符号化データを格納する。
【０１００】
また、フォント生成装置は、複数の文字を表示可能な符号化ＲＯＭ１６０８のデータを生成するものであってもよい。この場合、フォント生成装置は、文字ドットパターンを入力して、その文字に視覚的表示効果を与える表示特殊効果を生成し、該表示特殊効果と前記文字ドットパターンとを組み合わせて符号化するものである。より詳細な動作を、図２２および図２３を参照しながら説明する。
【０１０１】
図２２は、さらに複数の文字を表示する場合の符号化ＲＯＭ１６０８のデータの作成手順について示している。図２３にはアルファベットＡ〜Ｚの２６文字を例として、図２２のフローに従い作成した符号化ＲＯＭ１６０８のデータを示す。左側には一般的な文字コード１〜２６の順番にＡ〜Ｚの文字を割り当てたものである。
【０１０２】
まずは、表示する文字すべてのドットに細分したデータを入力する。次に前記入力した複数の文字データから左右、上下など対称な文字群に選別する。作成する符号化ＲＯＭ１６０８のデータが、図２３に示したようなものである場合、１文字コードに対して、左右のデータを２アドレスとしているため、１８ラインを表示するには１８の２倍の３６アドレス（１６進数では２４ｈ）となる。右側に示したもの（出力文字コード，ドットパターンＲＯＭ）は、本実施の形態５の符号化ＲＯＭ１６０８のデータであり、フォント生成装置において、入力されたデータから、水平方向、上下方向に対称な文字を抽出し、その文字の特徴ごとに再配置し、文字コードおよびアドレスを割り振ったものである。対称でない通常文字には、１文字につき３６アドレスが割り振られているが、左右、上下対称文字に割り振られているアドレスは、その半分の１８アドレスとなっている。
【０１０３】
前記実施の形態４と同様に、図２１に示す左右対称文字例Ａにおいて、第７ラインにおける表示例を、図２０、図２１、および図２４の動作説明図をもとに説明する。ドットカウンタ１６０２は、ドットクロックをカウントするものであり、０〜１１の１２ドットで１文字の領域を形成している。Ｓ１６０７のＲＯＭアドレスは、上記実施の形態３、および４では、０００Ｃｈから１６１７のタイミング制御回路がドットカウント７の位置で信号を発生し、０００Ｄｈと変化したが、左右対称文字では、比較回路１６０２が文字コード１６０９の値から左右対称文字であると認識し、フォントＲＯＭアドレス生成器１６０７に送り、フォントＲＯＭアドレス生成器１６０７では、アドレスの０００Ｄｈへの繰り上げを行わないようにする。このため、ＲＯＭアドレスＳ１６０７は０００６ｈのままである。このとき、符号化ＲＯＭ１６０８に格納されているデータＳ１６０８はＣ６ｈである。前記データＣ６ｈは、文字・縁復号分離回路１６１４に入力し、文字復号分離出力である文字データ出力Ｓ１６１４ａは、１１１０００であり、縁復号分離出力である縁データ出力Ｓ１６１４ｂは、左側が１０００１１０となる。左右の文字部分については、アドレスが確定していない状態であり、本来ならばこれらの文字縁分離出力も不定となるべきであるが、説明の都合上、文字は００００００、縁部は０００００００と、無表示状態とした。文字データ出力Ｓ１６１４ａ、縁データ出力Ｓ１６１４ｂは、選択回路１６１５ａ、１６１５ｂ、および隣接文字のドット合成回路１６１８に接続される。文字部の遅延信号Ｓ１６１８ａは、ドットカウントが０の位置にて、前表示文字である右側であり、最も右端に表示される最上位のデータである０が、さらに縁部の遅延信号Ｓ１６１８ｃには、前表示縁である右側であり、最も右端に表示される隣の文字からはみ出し部分となる最上位のデータである０が、縁部の遅延信号Ｓ１６１８ｂには前表示文字である右側であり、文字領域としては最も右端に表示される最上位から１つ下のデータである０が、それぞれ格納される。文字部選択回路１６１５ａではドットカウントが０の位置で文字部の遅延信号Ｓ１６１８ａの値０が出力され、その後カウント値の６までの増大とともに、文字データ出力Ｓ１６１４ａの値が最上位から１１１０００と順番に出力する。さらにドットカウントが７，８，９，１０，１１となると、文字データ出力Ｓ１６１４ａの最下位からとなり、０００１１となり、最上位のデータは縁部の遅延信号Ｓ１６１８ｃに格納され、次の文字カウンタ２，かつドットカウントが０のときに、その値１が出力される。
【０１０４】
縁部選択回路１６１５ｂでは、ドットカウントが０の位置において、縁部の遅延信号Ｓ１６１８ｂの値０と、縁データ出力Ｓ１６１４ｂの最上位である１との論理和となり１が出力され、次のドットカウント値が１では、縁部の遅延信号Ｓ１６１８ｃの値０と、縁データ出力Ｓ１６１４ｂの最上位から次のデータである０との論理和となり０が、その後カウント値の６までの増大とともに、文字データ出力Ｓ１６１４ａの値が最上位から３番目のデータが順に出力され、００１１０となる。さらにドットカウントが７，８，９，１０，１１となると、縁データ出力Ｓ１６１４ｂの最下位から出力され、０１１００となり、続く文字カウンタ２、かつドットカウントが０のときには前述にもどり、縁部の遅延信号Ｓ１６１８ｂの値０と、縁データ出力Ｓ１６１４ｂの最上位である０との論理和となり０が出力され、最後にドットカウント値が１では縁部の遅延信号Ｓ１６１８ｃの値１と、縁データ出力Ｓ１６１４ｂの最上位から次のデータである０との論理和となり１が出力されることになる。映像信号制御部１６１０では、文字部の制御出力信号Ｓ１６１５ａまたは縁部の制御出力信号Ｓ１６１５ｂの制御信号に従い、Ｓ１６１５ａが０で、かつＳ１６１５ｂが１のときに黒となるように低い電圧値とし、Ｓ１６１５ａが１のときには白となるように高い電圧としたビデオ出力信号Ｓ１６１０を生成し、該ビデオ出力信号Ｓ１６１０に基づいて、対称文字では半分の符号化データから縁付きの文字が表示できる。
【０１０５】
以上は左右対称文字の場合であるが、上下対称文字の場合には比較回路１６２０により上下対称であることを検知し、図２３に示すアルファベットでは、文字コード２２以上であることを検知し、フォントＲＯＭアドレス生成器１６０７にその結果を入力し、表示ラインが１、２、３〜９までは文字コードベースアドレスに０ｈ、２ｈ、４ｈ〜１２ｈと増加させ、１０〜１８では反対に１２ｈ〜０ｈと減少させることで実現する。１ラインの表示では、上記実施の形態４の図１９と同様な動作となるので説明を省略する。
【０１０６】
以上のような本実施の形態５による表示装置によれば、左右あるいは上下対称である文字の符号化データを、対称の一方のデータのみを記憶し、そのデータから表示を実現するようにしたので、文字形状の対称性を抽出し、対称文字の記憶容量を削減することができる。
【０１０７】
また、文字の対称などの特殊性を、その項目ごとに符号化ＲＯＭ１６０８に再配置して組み込み、表示するときにはアドレス値でどの文字特殊性であるか判別するようにしたので、表示可能な文字数が少なくならないうえに、回路規模の削減を図るとともに、低消費電力のものを得ることができる。
【０１０８】
【発明の効果】
以上のように、本発明にかかる表示装置によれば、表示文字からＲＯＭへの変換において、文字と表示効果として縁の演算を行い、復号分離可能な符号化手段によりデータの小容量化を実現するようにし、さらに文字形状の対称性を抽出し、その対象の内容ごとに文字配列の再配置を行い、ＲＯＭに格納することで、対称文字の記憶容量を削減するようにし、表示時においては、１ライン中のデータを分割することで、前記文字縁分離復号回路を小さくするようにしたので、文字記憶容量の削減および回路規模の削減を図るとともに、低消費電力のものを得ることができる。
【０１０９】
すなわち本発明の請求項１にかかる表示装置は、復号されると、文字部と、該文字部に視覚的表示効果を与える表示効果部とを有する表示効果付き文字に変換されるコードを記憶するコード記憶手段と、前記コード記憶手段から読み出したコードを、前記表示効果付き文字に復号する復号手段と、前記復号手段により復号された前記表示効果付き文字を、前記文字部と、前記表示効果部とに分離する分離手段と、視覚的表示効果を有する文字を表示する時には、前記分離手段からの前記文字部と、前記表示効果部とを出力し、視覚的表示効果を有しない文字を表示する時には、前記分離手段からの前記文字部のみを出力する出力制御手段と、を備えた、ものとしたので、上記表示効果付き文字に変換されるコードの量を削減することができ、上記コード記憶手段の小容量化を実現することができる。
【０１１０】
本発明の請求項２にかかる表示装置は、請求項１記載の表示装置において、文字１ラインの表示を、前記コード記憶手段に対する１回のアクセスで行う、ものとしたので、上記コード記憶手段アクセス時の消費電力を減少させることができる。
【０１１１】
本発明の請求項３にかかる表示装置は、請求項２記載の表示装置において、文字１ラインのドットを分割した数と同数の、前記復号手段および前記分離手段を備え、該複数の復号手段および分離手段を用いて、前記文字１ラインの表示を行う、ものとしたので、前記復号分離手段の回路規模を縮小することができるとともに、前記コード記憶手段アクセス時の消費電力を減少させることができる。
【０１１２】
本発明の請求項４にかかる表示装置は、請求項２記載の表示装置において、文字１ラインのドット数を複数個に分割し、その分割された各文字部分ライン間を切り替える切り替え手段を備え、１つの前記復号手段のみにより、前記コード記憶手段からコード読み出し、前記表示効果付き文字に復号する、ものとしたので、前記コード記憶手段アクセス時の消費電力を減少させることができる。
【０１１３】
本発明の請求項５にかかる表示装置は、請求項１記載の表示装置において、文字１ラインのドットを分割した数と同数の、前記コード記憶手段を備え、該複数のコード記憶手段をアクセスする、ものとしたので、前記コード記憶手段アクセス時の消費電力を減少させることができる。
【０１１４】
本発明の請求項６にかかる表示装置は、請求項５記載の表示装置において、文字１ラインのドットを分割した数と同数の前記コード記憶手段上に、アドレスを設け、１つの前記復号手段のみにより、前記コード記憶手段からコード読み出し、前記表示効果付き文字に復号する、ものとしたので、前記復号分離手段の回路規模を縮小することができる。
【０１１５】
本発明の請求項７にかかる表示装置は、請求項１記載の表示装置において、前記表示効果部は、文字部を表示する文字部表示領域の左右両側の文字表示領域１ドットに対して表示を行う、ものとしたので、縁付きの文字を表示することができる。
【０１１６】
本発明の請求項８にかかる表示装置は、文字部を文字部表示領域に表示し、該文字部に視覚的表示効果を与える表示効果部を前記文字部表示領域の左右両側の文字表示領域１ドットに表示する表示装置であって、復号されると、文字部と、前記表示効果部とを有する表示効果付き文字に変換されるコードの１ラインのドットを分割して格納する複数のコード記憶手段と、前記複数のコード記憶手段から読み出したコードを、前記表示効果付き文字に復号する復号手段と、前記復号手段により復号された前記表示効果付き文字を、前記文字部と、前記表示効果部とに分離する分離手段と、視覚的表示効果を有する文字を表示する時には、前記分離手段からの前記文字部と、前記表示効果部とを出力し、視覚的表示効果を有しない文字を表示する時には、前記分離手段からの前記文字部のみを出力する出力制御手段と、を備えた、ものとしたので、前記復号分離手段の回路規模を縮小することができる。
【０１１７】
本発明の請求項９にかかる表示装置は、請求項８記載の表示装置において、文字１ラインのドット数を分割した数が、２であり、前記コード記憶手段のデータが、該２分割による第１部と、第２部とが、反転している、ものとしたので、前記復号分離手段の回路規模を縮小することができる。
【０１１８】
本発明の請求項１０にかかる表示装置は、請求項１ないし９のいずれかに記載の表示装置において、前記表示効果部は、前記文字部に対する縁部である、ものとしたので、縁付きの文字を表示することができる。
【０１１９】
本発明の請求項１１にかかる表示装置は、請求項１０記載の表示装置において、前記文字部に対する縁部が、８方向に設けられている、ものとしたので、８方向の縁を有する文字を表示することができる。
【０１２０】
本発明の請求項１２にかかる表示装置は、請求項１ないし９のいずれかに記載の表示装置において、前記コード記憶手段の内容の特殊性に基づき、記憶するデータの圧縮を行うとともに、その特殊性に基づき、前記コード記憶手段内の文字データを分類し、連続に再配置された前記データ記憶手段のデータにより、復元表示する、ものとしたので、前記復号分離手段の回路規模を縮小することができる。
【０１２１】
本発明の請求項１３にかかるフォント生成装置は、複数の文字ドットパターン、および複数の文字コードを入力して、文字の形状の特殊性に基づき再配置を行い、新たな複数の文字コード、および複数の文字ドットパターンの双方を、出力する、ものとしたので、前記文字ドットパターンと、その文字に視覚的表示効果を与える特殊効果とを、共存させることにより、前記文字ドットパターンと同じ容量の特殊効果のデータを記憶する必要がなくなるため、記憶容量を削減することができるうえ、前記文字と、前記特殊効果とが符号化されたデータに対する１回のアクセスで特殊効果付きの文字を表示することができるため、消費電力を低減させることができる。
【０１２２】
本発明の請求項１４にかかるフォント生成装置は、文字ドットパターンを入力して、その文字に視覚的表示効果を与える表示特殊効果を生成し、該表示特殊効果と、前記文字ドットパターンとを、組み合わせて符号化する、ものとしたので、前記文字と、前記表示特殊効果とを、共存させることにより、前記文字ドットパターンと同じ容量の表示特殊効果のデータを記憶する必要がなくなるため、記憶容量を削減することができるうえ、前記文字ドットパターンと、前記表示特殊効果とが符号化されたデータに対する１回のアクセスで表示特殊効果付きの文字を表示することができるため、消費電力を低減させることができる。
【図面の簡単な説明】
【図１】本発明の実施の形態１における表示装置のブロック図
【図２】上記実施の形態１における、表示出力と、文字・縁の符号化を示す図
【図３】上記実施の形態１における、表示出力と、文字・縁の符号化を示す図
【図４】上記実施の形態１における、表示出力と、文字・縁の符号化を示す図
【図５】上記実施の形態１における、表示出力と、文字・縁の符号化を示す図
【図６】上記実施の形態１における、表示出力と、文字・縁の符号化を示す図
【図７】上記実施の形態１における、表示出力と、文字・縁の符号化と、復号分離とを示す図
【図８】本発明の実施の形態１による表示装置の動作説明図
【図９】本発明の実施の形態２における表示装置のブロック図
【図１０】本発明の実施の形態２における、表示出力と、文字・縁の符号化と、復号分離とを示す図
【図１１】本発明の実施の形態２による表示装置の左右反転動作を説明する図
【図１２】本発明の実施の形態２による表示装置の動作説明図
【図１３】本発明の実施の形態３における表示装置のブロック図
【図１４】本発明の実施の形態３における、表示出力と、文字・縁の符号化と、復号分離を示す図
【図１５】本発明の実施の形態３による表示装置の動作説明図
【図１６】本発明の実施の形態４における表示装置のブロック図
【図１７】本発明の実施の形態４における、表示出力と、文字・縁の符号化と、復号分離とを示す図
【図１８】本発明の実施の形態４における、左右隣接文字に対する文字・縁の合成説明図
【図１９】本発明の実施の形態４による表示装置の動作説明図
【図２０】本発明の実施の形態５における表示装置のブロック図
【図２１】本発明の実施の形態５における、表示出力と、文字・縁の符号化と、復号分離を示す図
【図２２】本発明の実施の形態５における、符号化ＲＯＭの再配置フローを示す図
【図２３】本発明の実施の形態５における、符号化ＲＯＭの再配置を説明する図
【図２４】本発明の実施の形態５による表示装置の動作説明図
【図２５】従来例１における表示装置のブロック図
【図２６】従来例１における、表示出力とドットパターンＲＯＭの説明図
【図２７】従来例１における表示装置の動作説明図
【図２８】従来例２における表示装置のブロック図
【図２９】従来例２における表示出力とドットパターンＲＯＭ説明図
【図３０】従来例２における表示装置の動作説明図
【図３１】従来例３における表示装置のブロック図
【図３２】従来例３におけるＶＲＡＭの構成
【符号の説明】
１０１  ラインカウンタ
１０２  ドットカウンタ
１０３  垂直文字カウンタ
１０４  水平文字カウンタ
１０５  ＶＲＡＭアドレス生成
１０６  ＶＲＡＭ
１０７  ＲＯＭアドレス生成
１０８  符号化ＲＯＭ
１０９ａ  シフトレジスタ
１０９ｂ  シフトレジスタ
１１０  映像信号制御部
１１４ａ  文字／縁復号分離回路
１１４ｂ  文字／縁復号分離回路
Ｓ１０７  ＲＯＭアドレス
Ｓ１０８ａ  ＲＯＭデータ上位データ
Ｓ１０８ｂ  ＲＯＭデータ下位データ
Ｓ１０９ａ  文字部の制御出力信号
Ｓ１０９ｂ  特殊表示効果部の制御出力信号
Ｓ１１０  ビデオ出力信号
Ｓ１１０ｉｎ  ビデオ入力信号
Ｓ１１４ａａ  上位文字データ
Ｓ１１４ａｂ  上位縁データ
Ｓ１１４ｂａ  下位文字データ
Ｓ１１４ｂｂ  下位縁データ
５０１  ラインカウンタ
５０２  ドットカウンタ
５０３  垂直文字カウンタ
５０４  水平文字カウンタ
５０５  ＶＲＡＭアドレス生成
５０６  ＶＲＡＭ
５０７  ＲＯＭアドレス生成
５０８  符号化ＲＯＭ
５１０  映像信号制御部
５１４  文字／縁復号分離回路
５１５ａ  選択回路
５１５ｂ  選択回路
５１６  上位下位データ切換
５１７  タイミング制御回路
Ｓ５０７  ＲＯＭアドレス
Ｓ５０８  ＲＯＭデータ
Ｓ５１０  ビデオ出力信号
Ｓ５１０ｉｎ  ビデオ入力信号
Ｓ５１４ａ  文字データ出力
Ｓ５１４ｂ  縁データ出力
Ｓ５１５ａ  文字部の制御出力信号
Ｓ５１５ｂ  縁部の制御出力信号
９０１  ラインカウンタ
９０２  ドットカウンタ
９０３  垂直文字カウンタ
９０４  水平文字カウンタ
９０５  ＶＲＡＭアドレス生成
９０６  ＶＲＡＭ
９０７  ＲＯＭアドレス生成
９０８  符号化ＲＯＭ
９１０  映像信号制御部
９１４  文字／縁復号分離回路
９１５ａ  選択回路
９１５ｂ  選択回路
９１７  タイミング制御回路
Ｓ９０７  ＲＯＭアドレス
Ｓ９０８  ＲＯＭデータ
Ｓ９１０  ビデオ出力信号
Ｓ９１０ｉｎ  ビデオ入力信号
Ｓ９１４ａ  文字データ出力
Ｓ９１４ｂ  縁データ出力
Ｓ９１５ａ  文字部の制御出力信号
Ｓ９１５ｂ  縁ドット制御出力信号
１２０１  ラインカウンタ
１２０２  ドットカウンタ
１２０３  垂直文字カウンタ
１２０４  水平文字カウンタ
１２０５  ＶＲＡＭアドレス生成
１２０６  ＶＲＡＭ
１２０７  ＲＯＭアドレス生成
１２０８  符号化ＲＯＭ
１２１０  映像信号制御部
１２１４  文字／縁復号分離回路
１２１５ａ  選択回路
１２１５ｂ  選択回路
１２１７  タイミング制御回路
１２１８  隣接文字のドット合成回路
１２１９  縁取り有り無しの制御部
Ｓ１２０７  ＲＯＭアドレス
Ｓ１２０８  ＲＯＭデータ
Ｓ１２１０  ビデオ出力信号
Ｓ１２１０ｉｎ  ビデオ入力信号
Ｓ１２１４ａ  文字データ出力
Ｓ１２１４ｂ  縁データ出力
Ｓ１２１５ａ  文字部の制御出力信号
Ｓ１２１５ｂ  縁部の制御出力信号
Ｓ１２１８ａ  隣接文字ドット合成回路内における文字部の遅延信号
Ｓ１２１８ｂ  隣接文字ドット合成回路内における縁部の遅延信号１
Ｓ１２１８ｃ  隣接文字ドット合成回路内における縁部の遅延信号２
１６０１  ラインカウンタ
１６０２  ドットカウンタ
１６０３  垂直文字カウンタ
１６０４  水平文字カウンタ
１６０５  ＶＲＡＭアドレス生成
１６０６  ＶＲＡＭ
１６０７  ＲＯＭアドレス生成
１６０８  符号化ＲＯＭ
１６１０  映像信号制御部
１６１４  文字／縁復号分離回路
１６１５ａ  選択回路
１６１５ｂ  選択回路
１６１７  タイミング制御回路
１６１８  隣接文字のドット合成回路
１６１９  縁取り有り無しの制御部
１６２０  比較回路
Ｓ１６０７  ＲＯＭアドレス
Ｓ１６０８  ＲＯＭデータ
Ｓ１６１０  ビデオ出力信号
Ｓ１６１０ｉｎ  ビデオ入力信号
Ｓ１６１４ａ  文字データ出力
Ｓ１６１４ｂ  縁データ出力
Ｓ１６１５ａ  文字部の制御出力信号
Ｓ１６１５ｂ  縁部の制御出力信号
Ｓ１６１８ａ  隣接文字ドット合成回路内における文字部の遅延信号
Ｓ１６１８ｂ  隣接文字ドット合成回路内における縁部の遅延信号１
Ｓ１６１８ｃ  隣接文字ドット合成回路内における縁部の遅延信号２
２１０１  ラインカウンタ
２１０２  ドットカウンタ
２１０３  垂直文字カウンタ
２１０４  水平文字カウンタ
２１０５  ＶＲＡＭアドレス生成
２１０６  ＶＲＡＭ
２１０７  ＲＯＭアドレス生成
２１０８ａ  文字ドットパターンＲＯＭ
２１０８ｂ  縁ドットパターンＲＯＭ
２１０９ａ  シフトレジスタ
２１０９ｂ  シフトレジスタ
２１１０  映像信号制御部
Ｓ２１０７  ＲＯＭアドレス
Ｓ２１０８ａ  文字ドットパターンＲＯＭのデータ
Ｓ２１０８ｂ  縁ドットパターンＲＯＭのデータ
Ｓ２１０９ａ  文字部の制御出力信号
Ｓ２１０９ｂ  特殊表示効果部の制御出力信号
Ｓ２１１０  ビデオ出力信号
Ｓ２１１０ｉｎ  ビデオ入力信号
２４０１  ラインカウンタ
２４０２  ドットカウンタ
２４０３  垂直文字カウンタ
２４０４  水平文字カウンタ
２４０５  ＶＲＡＭアドレス生成
２４０６  ＶＲＡＭ
２４０７  ＲＯＭアドレス生成
２４０８  文字ドットパターンＲＯＭ
２４０９ａ  シフトレジスタ
２４０９ｂ  シフトレジスタ
２４０９ｃ  シフトレジスタ
２４１０  映像信号制御部
２４１１  タイミング制御回路
２４１２ａ  バッファ
２４１２ｂ  バッファ
２４１２ｃ  バッファ
２４１３  縁演算器
２４２１  ドット遅延回路
Ｓ２４０７  ＲＯＭアドレス
Ｓ２４１０  ビデオ出力信号
Ｓ２４１０ｉｎ  ビデオ入力信号
２７０１  ラインカウンタ
２７０２  ドットカウンタ
２７０３  垂直文字カウンタ
２７０４  水平文字カウンタ
２７０５  ＶＲＡＭアドレス生成
２７０６  ＶＲＡＭ
２７０７  ＲＯＭアドレス生成
２７０８  文字ドットパターンＲＯＭ
２７０９  シフトレジスタ
２７１０  映像信号制御部
２７１４  復号器
【図１】
2004317887.tif 000003
【図２】
2004317887.tif 000004
【図３】
2004317887.tif 000005
【図４】
2004317887.tif 000006
【図５】
2004317887.tif 000007
【図６】
2004317887.tif 000008
【図７】
2004317887.tif 000009
【図８】
2004317887.tif 000010
【図９】
2004317887.tif 000011
【図１０】
2004317887.tif 000012
【図１１】
2004317887.tif 000013
【図１２】
2004317887.tif 000014
【図１３】
2004317887.tif 000015
【図１４】
2004317887.tif 000016
【図１５】
2004317887.tif 000017
【図１６】
2004317887.tif 000018
【図１７】
2004317887.tif 000019
【図１８】
2004317887.tif 000020
【図１９】
2004317887.tif 000021
【図２０】
2004317887.tif 000022
【図２１】
2004317887.tif 000023
【図２２】
2004317887.tif 000024
【図２３】
2004317887.tif 000025
【図２４】
2004317887.tif 000026
【図２５】
2004317887.tif 000027
【図２６】
2004317887.tif 000028
【図２７】
2004317887.tif 000029
【図２８】
2004317887.tif 000030
【図２９】
2004317887.tif 000031
【図３０】
2004317887.tif 000032
【図３１】
2004317887.tif 000033
【図３２】
2004317887.tif 000034